(57)【要約】【課題】  発信側端末からの切断時に中継サーバからの指示による呼び返し処理を可能とし、ＩＰ電話端末の回線（セッション）リソースを中継サーバ側で確保でき、もって緊急通報に必要な「回線留保機能」や「再呼び出し機能」として発信側から通話を切れないようにすることが可能な、ＩＰ電話における呼び返しシステムおよび方法、プログラムおよび記録媒体を提供する。【解決手段】  着信側３の番号が予め設定された電話番号であった場合に発信側１が発信した切断信号を着信側３へ伝送せずに公衆回線網５の接続回線を保持するための回線保持手段（１）と、切断信号に基づいて発信側へ呼び返し信号を送り返すための呼び返し手段（１）と、を備える。【選択図】      図２
2005354641.tif 000002
【特許請求の範囲】
【請求項１】
ＩＰ電話網からＩＰ電話信号変換サーバを介して公衆電話回線網へされた発信が前記ＩＰ電話網の発信側で切断された場合に前記公衆電話回線網に接続する前記ＩＰ電話信号変換サーバ側から呼び返すためのＩＰ電話における呼び返しシステムであって、
前記着信側の番号が予め設定された電話番号であった場合に前記発信側が発信した切断信号を前記着信側へ伝送せずに前記公衆回線網の接続回線を保持するための回線保持手段と、
前記切断信号に基づいて前記発信側へ呼び返し信号を送り返すための呼び返し手段と、
を備えることを特徴とするＩＰ電話における呼び返しシステム。
【請求項２】
前記呼び返し手段は、
前記呼び返し信号を送り返すと共に前記着信側へ呼び返し中であることを知らせるための告知音を送出することを特徴とする請求項１に記載のＩＰ電話における呼び返しシステム。
【請求項３】
前記告知音は、
音声アナウンス、チャイム音のうちのすくなくともいずれか一つであることを特徴とする請求項２に記載のＩＰ電話における呼び返しシステム。
【請求項４】
前記呼び返し手段は、
前記呼び返し信号と共に発信時の電話番号を基に予め設定された電話番号を選択して発信元電話番号として呼び返し先に送信することを特徴とする請求項１〜３のいずれかに記載のＩＰ電話における呼び返しシステム。
【請求項５】
ＩＰ電話網からＩＰ電話信号変換サーバを介して公衆電話回線網へされた発信が前記ＩＰ電話網の発信側で切断された場合に前記公衆電話回線網に接続する前記ＩＰ電話信号変換サーバ側から呼び返すためのＩＰ電話における呼び返し方法であって、
前記着信側の番号が予め設定された電話番号であった場合に前記発信側が発信した切断信号を前記着信側へ伝送せずに前記公衆回線網の接続回線を保持するための回線保持手段により前記接続回線を保持するステップと、
前記切断信号に基づいて前記発信側へ呼び返し信号を送り返すための呼び返し手段により前記呼び返し信号を送り返すステップと、
を備えることを特徴とするＩＰ電話における呼び返し方法。
【請求項６】
前記呼び返し手段は、
前記呼び返し信号を送り返すと共に前記着信側へ呼び返し中であることを知らせるための告知音を送出することを特徴とする請求項５に記載のＩＰ電話における呼び返し方法。
【請求項７】
前記告知音は、
音声アナウンス、チャイム音のうちのすくなくともいずれか一つであることを特徴とする請求項６に記載のＩＰ電話における呼び返し方法。
【請求項８】
前記呼び返し手段は、
前記呼び返し信号と共に発信時の電話番号を基に予め設定された電話番号を選択して発信元電話番号として呼び返し先に送信することを特徴とする請求項５〜７のいずれかに記載のＩＰ電話における呼び返し方法。
【請求項９】
ＩＰ電話網からＩＰ電話信号変換サーバを介して公衆電話回線網へされた発信が前記ＩＰ電話網の発信側で切断された場合に前記公衆電話回線網に接続する前記ＩＰ電話信号変換サーバ側から呼び返すためのＩＰ電話における呼び返しプログラムであって、
前記着信側の番号が予め設定された電話番号であった場合に前記発信側が発信した切断信号を前記着信側へ伝送せずに前記公衆回線網の接続回線を保持するための回線保持手段により前記接続回線を保持するステップと、
前記切断信号に基づいて前記発信側へ呼び返し信号を送り返すための呼び返し手段により前記呼び返し信号を送り返すステップと、
を備えることを特徴とするＩＰ電話における呼び返しプログラム。
【請求項１０】
前記呼び返し手段は、
前記呼び返し信号を送り返すと共に前記着信側へ呼び返し中であることを知らせるための告知音を送出することを特徴とする請求項９に記載のＩＰ電話における呼び返しプログラム。
【請求項１１】
前記告知音は、
音声アナウンス、チャイム音のうちのすくなくともいずれか一つであることを特徴とする請求項１０に記載のＩＰ電話における呼び返しプログラム。
【請求項１２】
前記呼び返し手段は、
前記呼び返し信号と共に発信時の電話番号を基に予め設定された電話番号を選択して発信元電話番号として呼び返し先に送信することを特徴とする請求項９〜１１のいずれかに記載のＩＰ電話における呼び返しプログラム。
【請求項１３】
前記ＩＰネットワーク上に配置されたサーバにインストールされて実行可能なことを特徴とする請求項９〜１２のいずれかに記載のＩＰ電話における呼び返しプログラム。
【請求項１４】
ＩＰ電話網からＩＰ電話信号変換サーバを介して公衆電話回線網へされた発信が前記ＩＰ電話網の発信側で切断された場合に前記公衆電話回線網に接続する前記ＩＰ電話信号変換サーバ側から呼び返すためのＩＰ電話における呼び返しプログラムを記録した記録媒体であって、
前記着信側の番号が予め設定された電話番号であった場合に前記発信側が発信した切断信号を前記着信側へ伝送せずに前記公衆回線網の接続回線を保持するための回線保持手段により前記接続回線を保持するステップと、
前記切断信号に基づいて前記発信側へ呼び返し信号を送り返すための呼び返し手段により前記呼び返し信号を送り返すステップと、
を備えることを特徴とするＩＰ電話における呼び返しプログラムを記録した記録媒体。
【請求項１５】
前記呼び返し手段は、
前記呼び返し信号を送り返すと共に前記着信側へ呼び返し中であることを知らせるための告知音を送出することを特徴とする請求項１４に記載のＩＰ電話における呼び返しプログラムを記録した記録媒体。
【請求項１６】
前記告知音は、
音声アナウンス、チャイム音のうちのすくなくともいずれか一つであることを特徴とする請求項１５に記載のＩＰ電話における呼び返しプログラムを記録した記録媒体。
【請求項１７】
前記呼び返し手段は、
前記呼び返し信号と共に発信時の電話番号を基に予め設定された電話番号を選択して発信元電話番号として呼び返し先に送信することを特徴とする請求項１４〜１６のいずれかに記載のＩＰ電話における呼び返しプログラムを記録した記録媒体。
【請求項１８】
前記ＩＰネットワーク上に配置されたサーバにインストールされて実行可能なことを特徴とする請求項１４〜１７のいずれかに記載のＩＰ電話における呼び返しプログラムを記録した記録媒体。
【発明の詳細な説明】
【技術分野】
【０００１】
本発明は、ＩＰ電話を用いた緊急電話の接続において、受信者側から発信側へ呼び返しを行うためのＩＰ電話における呼び返しシステムおよび方法、プログラムおよび記録媒体に関する。
【背景技術】
【０００２】
従来の通話に関して実用化されている技術として、物理的な通信線により構成された回線網を介して通話を行う、加入電話網による電話回線が広く活用されている。また、近年においては、インターネットの発達に伴いＩＰ（Ｉｎｔｅｒｎｅｔ  Ｐｒｏｔｏｃｏｌ）網を利用した通話技術としてＩＰ（Ｉｎｔｅｒｎｅｔ  Ｐｒｏｔｏｃｏｌ）電話システムも実用化されて利用されている。ＩＰ電話システムでの通話は、既存の加入電話網のように回線という物理的な接続で確立されるのではなく、ＩＰ網上の論理的なセッションと呼ばれる仮想的な接続で通話が確立されている。
【０００３】
こうしたＩＰ電話システムについての技術的な規格などの記載は、インターネット上で開発されるさまざまな新しい技術の標準化を促進するために設立されたコンソシアムであるＩＥＴＦ（Ｉｎｔｅｒｎｅｔ  Ｅｎｇｉｎｅｅｒｉｎｇ  Ｔａｓｋ  Ｆｏｒｃｅ）がドキュメントとして発行している。このドキュメントとしては、ＲＦＣ（Ｒｅｑｕｅｓｔｓ  Ｆｏｒ  Ｃｏｍｍｅｎｔ）として知られる文書のＲＦＣ３２６１（ＲＦＣ２５４３）、ＲＦＣ３３９８などが知られている。
【０００４】
さらに、従来の加入電話網での緊急通報においては、交換機で回線を留保することにより、たとえ発信側から切断されたとしても、緊急通報の受付台側から発信側へ呼び返して接続を保障するシステムとなっている。この緊急通報に関する機能は、社会的にも大変重要な位置付けがされており、加入電話網での緊急通報システムの整備はもちろんのこと、ＩＰ電話システムにおいても、この緊急通報システムの整備が要求されている。
【０００５】
ここで、従来の加入電話網とＩＰ電話システムとの構成の比較を行う。まず、図４に示すように既存の加入者電話網は、加入電話端末１００、１０１と、加入者交換機１０３、１０４と、中継交換機１０２から構成されている。ここで、緊急通報を扱う受付台１０９に接続される通話は、図５に示すように加入電話端末１０５から加入者交換機１０６と、中継交換機１０７と、受付台１０９を収容する加入者交換機１０８とを経て受付台１０９に接続される。この緊急通報の接続の際においては、加入電話端末１０５で通話を切っても受付台１０９までの回線を保持する「回線留保機能」や、加入電話端末１０５側で通話を切断した緊急通報通報者を再び呼び出せる「再呼び出し機能」などが用意されている。
【０００６】
このうち、「回線留保機能」では、加入者交換機１０８と中継交換機１０７とにおいて、緊急通報呼である通話に関しては、発信側である加入電話端末１０５からの切断信号を受けても、電話回線を開放することせずに電話回線を留保して、受付台１０９側からの切断信号によってのみ電話回線を開放する機能である。
【０００７】
この開放されずに留保されている電話回線に対して、受付台１０９から加入者交換機１０５に対して再呼び出しを指示することで、通話を切った加入電話端末１０５を呼び出すことができる機能が「再呼び出し機能」である。このとき電話回線が「回線留保機能」により留保されているため、受付台１０９側に備わる図示しない再呼び出し起動ボタンを押すことにより確実な「再呼び出し」が行える構成を有している（非特許文献１、２を参照）。
【非特許文献１】既存固定網に備わっている機能ｈｔｔｐ：／／ｗｗｗ．ｚｄｎｅｔ．ｃｏ．ｊｐ／ｂｒｏａｄｂａｎｄ／０３０４／１５／ｌｐ１１．ｈｔｍｌ
【非特許文献２】電気通信事業における重要通信の在り方に関する研究会（総務省）報告書  ６章（３）ＩＰ電話における緊急通報の確保ｈｔｔｐ：／／ｗｗｗ．ｓｏｕｍｕ．ｇｏ．ｊｐ／ｓ−ｎｅｗｓ／２００３／０３０４１１  １．ｈｔｍｌ
【発明の開示】
【発明が解決しようとする課題】
【０００８】
しかしながら、従来のＩＰ電話システムにおける緊急通報の回線接続においては、ＩＰ網上のセッションという論理的なリソースとしてのみ存在し、且つＩＰ電話端末によりセッションリソースの確立と開放が行われているため、ＩＰ電話システムのサーバ側システムでは、その回線／セッションのリソース管理が直接的には行えず、ＩＰ電話端末に指示を送ることのみが行われている。したがって、既存の加入電話網における緊急通報の際の「回線留保機能」「再呼び出し機能」のような各機能の提供が難しかった。
【０００９】
このような課題に鑑み、本発明は、発信側端末からの切断時に中継サーバからの指示による呼び返し処理を可能とし、ＩＰ電話端末の回線（セッション）リソースを中継サーバ側で確保でき、もって緊急通報に必要な「回線留保機能」や「再呼び出し機能」として発信側から通話を切れないようにすることが可能な、ＩＰ電話における呼び返しシステムおよび方法、プログラムおよび記録媒体を提供することを目的としている。
【課題を解決するための手段】
【００１０】
請求項１に記載の本発明は、ＩＰ電話網からＩＰ電話信号変換サーバを介して公衆電話回線網へされた発信が前記ＩＰ電話網の発信側で切断された場合に前記公衆電話回線網に接続する前記ＩＰ電話信号変換サーバ側から呼び返すためのＩＰ電話における呼び返しシステムであって、前記着信側の番号が予め設定された電話番号であった場合に前記発信側が発信した切断信号を前記着信側へ伝送せずに前記公衆回線網の接続回線を保持するための回線保持手段と、前記切断信号に基づいて前記発信側へ呼び返し信号を送り返すための呼び返し手段と、を備える。
【００１１】
また、請求項２に記載の本発明は、請求項１において、前記呼び返し手段は、前記呼び返し信号を送り返すと共に前記着信側へ呼び返し中であることを知らせるための告知音を送出する。
【００１２】
また、請求項３に記載の本発明は、請求項２において、前記告知音は、音声アナウンス、チャイム音のうちのすくなくともいずれか一つである。
【００１３】
また、請求項４に記載の本発明は、請求項１〜３のいずれかにおいて、前記呼び返し手段は、前記呼び返し信号と共に発信時の電話番号を基に予め設定された電話番号を選択して発信元電話番号として呼び返し先に送信する。
【００１４】
また、請求項５に記載の本発明は、ＩＰ電話網からＩＰ電話信号変換サーバを介して公衆電話回線網へされた発信が前記ＩＰ電話網の発信側で切断された場合に前記公衆電話回線網に接続する前記ＩＰ電話信号変換サーバ側から呼び返すためのＩＰ電話における呼び返し方法であって、前記着信側の番号が予め設定された電話番号であった場合に前記発信側が発信した切断信号を前記着信側へ伝送せずに前記公衆回線網の接続回線を保持するための回線保持手段により前記接続回線を保持するステップと、前記切断信号に基づいて前記発信側へ呼び返し信号を送り返すための呼び返し手段により前記呼び返し信号を送り返すステップと、を備える。
【００１５】
また、請求項６に記載の本発明は、請求項５において、前記呼び返し手段は、前記呼び返し信号を送り返すと共に前記着信側へ呼び返し中であることを知らせるための告知音を送出する。
【００１６】
また、請求項７に記載の本発明は、請求項６において、前記告知音は、音声アナウンス、チャイム音のうちのすくなくともいずれか一つである。
【００１７】
また、請求項８に記載の本発明は、請求項５〜７のいずれかにおいて、前記呼び返し手段は、前記呼び返し信号と共に発信時の電話番号を基に予め設定された電話番号を選択して発信元電話番号として呼び返し先に送信する。
【００１８】
また、請求項９に記載の本発明は、ＩＰ電話網からＩＰ電話信号変換サーバを介して公衆電話回線網へされた発信が前記ＩＰ電話網の発信側で切断された場合に前記公衆電話回線網に接続する前記ＩＰ電話信号変換サーバ側から呼び返すためのＩＰ電話における呼び返しプログラムであって、前記着信側の番号が予め設定された電話番号であった場合に前記発信側が発信した切断信号を前記着信側へ伝送せずに前記公衆回線網の接続回線を保持するための回線保持手段により前記接続回線を保持するステップと、前記切断信号に基づいて前記発信側へ呼び返し信号を送り返すための呼び返し手段により前記呼び返し信号を送り返すステップと、を備える。
【００１９】
また、請求項１０に記載の本発明は、請求項９において、前記呼び返し手段は、前記呼び返し信号を送り返すと共に前記着信側へ呼び返し中であることを知らせるための告知音を送出する。
【００２０】
また、請求項１１に記載の本発明は、請求項１０において、前記告知音は、音声アナウンス、チャイム音のうちのすくなくともいずれか一つである。
【００２１】
また、請求項１２に記載の本発明は、請求項９〜１１のいずれかにおいて、前記呼び返し手段は、前記呼び返し信号と共に発信時の電話番号を基に予め設定された電話番号を選択して発信元電話番号として呼び返し先に送信する。
【００２２】
また、請求項１３に記載の本発明は、請求項９〜１２のいずれかにおいて、前記ＩＰネットワーク上に配置されたサーバにインストールされて実行可能である。
【００２３】
また、請求項１４に記載の本発明は、ＩＰ電話網からＩＰ電話信号変換サーバを介して公衆電話回線網へされた発信が前記ＩＰ電話網の発信側で切断された場合に前記公衆電話回線網に接続する前記ＩＰ電話信号変換サーバ側から呼び返すためのＩＰ電話における呼び返しプログラムを記録した記録媒体であって、前記着信側の番号が予め設定された電話番号であった場合に前記発信側が発信した切断信号を前記着信側へ伝送せずに前記公衆回線網の接続回線を保持するための回線保持手段により前記接続回線を保持するステップと、前記切断信号に基づいて前記発信側へ呼び返し信号を送り返すための呼び返し手段により前記呼び返し信号を送り返すステップと、を備えることを特徴とするＩＰ電話における呼び返しプログラムを記録する。
【００２４】
また、請求項１５に記載の本発明は、請求項１４において、前記呼び返し手段は、前記呼び返し信号を送り返すと共に前記着信側へ呼び返し中であることを知らせるための告知音を送出することを特徴とするＩＰ電話における呼び返しプログラムを記録する。
【００２５】
また、請求項１６に記載の本発明は、請求項１５において、前記告知音は、音声アナウンス、チャイム音のうちのすくなくともいずれか一つであることを特徴とするＩＰ電話における呼び返しプログラムを記録する。
【００２６】
また、請求項１７に記載の本発明は、請求項１４〜１６のいずれかにおいて、前記呼び返し手段は、前記呼び返し信号と共に発信時の電話番号を基に予め設定された電話番号を選択して発信元電話番号として呼び返し先に送信することを特徴とするＩＰ電話における呼び返しプログラムを記録する。
【００２７】
また、請求項１８に記載の本発明は、請求項１４〜１７のいずれかにおいて、前記ＩＰネットワーク上に配置されたサーバにインストールされて実行可能なことを特徴とするＩＰ電話における呼び返しプログラムを記録する。
【発明の効果】
【００２８】
本発明によれば、発信側端末からの切断時に中継サーバからの指示による呼び返し処理を可能とし、ＩＰ電話端末の回線（セッション）リソースを中継サーバ側で確保でき、もって緊急通報に必要な「回線留保機能」や「再呼び出し機能」として発信側から通話を切れないようにすることが可能な、ＩＰ電話における呼び返しシステムおよび方法、プログラムおよび記録媒体を提供することができる。
【発明を実施するための最良の形態】
【００２９】
図１は、ＩＰ電話における呼び返しシステムおよび方法、プログラムおよび記録媒体の実施の形態に係る、ＩＰ電話システムを説明するための構成図を示している。本発明のＩＰ電話システムにおける自動再呼び返しシステムの実施の形態においては、ＩＰ電話端末（発信側）２が接続するＩＰ網４と既存公衆電話網（ＰＳＴＮ）５とを接続するＰＳＴＮ−ＧＷ（接続装置）１により、ＩＰ網４を介してＩＰ電話端末（発信側）２、既存公衆電話網（ＰＳＴＮ）５を介して公衆電話端末（着信側）３にそれぞれ接続されている。ＰＳＴＮ−ＧＷ（接続装置）１は、ＩＰ電話端末（発信側）２および既存公衆電話（着信側）３との呼接続処理を仲介している。
【００３０】
次に、図２には、本発明のＩＰ電話における呼び返しシステムおよび方法、プログラムおよび記録媒体の実施の形態に係る、ＩＰ電話システムによる呼び返しの制御シーケンスを説明するためのシーケンスチャートを示している。このシーケンスチャートを参照して本実施の形態の全体の動作について詳細に説明する。
【００３１】
まず、ＩＰ電話端末２が、発信を行うためにＰＳＴＮ−ＧＷ１に対して、「発信」信号を送信する（ステップ１：Ｓ１）。
【００３２】
次に、ＰＳＴＮ−ＧＷ１では、「発信」信号に含まれる着信先電話番号と、ＰＳＴＮ−ＧＷ１内の図示しない記録装置に保存されている自動呼び返し対象電話番号とを比較し、自動呼び返し対象電話番号への発信であることを判断し、本発信呼について自動呼び返し指示状態にあることを図示しない呼管理記憶装置に記録した後、既存公衆電話３に対して、「発信」信号をインタワークする（ステップ２：Ｓ２）。
【００３３】
「発信」信号を受け取った既存公衆電話３は、ＰＳＴＮ−ＧＷ１を介して（ステップ３：Ｓ３）、ＩＰ電話端末２へ応答信号を返答して、ＩＰ電話端末２と既存公衆電話３は通話が行える状態になる（ステップ４：Ｓ４）。
【００３４】
通話を行っている状態で、ＩＰ電話端末２から切断するためにＰＳＴＮ−ＧＷ１に対して、「切断」信号を送信する（ステップ５：Ｓ５）。
【００３５】
このとき、ＰＳＴＮ−ＧＷ１では、既存公衆電話３との接続を切断すること無しに再呼出中音などを流すことで、既存公衆電話３に対して呼び返し中であることを伝える（ステップ６：Ｓ６）。
【００３６】
ＩＰ電話端末２から「切断」信号を受信したＰＳＴＮ−ＧＷ１は、呼管理記憶装置の情報から、該当の呼が自動呼び出し指示状態にあることを判断し、「切断」信号をインタワークせずに、ＩＰ電話端末２に対して、即座に新たな発信（呼び返し）を行う（ステップ７：Ｓ７）。
【００３７】
ＩＰ電話端末２から、「応答」信号を受けたＰＳＴＮ−ＧＷ１では（ステップ８：Ｓ８）、ＩＰ電話端末２と既存公衆電話３の間で通話が行えるように、前記再呼出中音を停止してＩＰ電話端末２と既存公衆電話３を接続する。
【００３８】
通話を終了する場合、既存公衆電話３は、ＰＳＴＮ−ＧＷ１に「切断」信号を送信する（ステップ９：Ｓ９）。
【００３９】
既存公衆電話３から「切断」信号を受けた、ＰＳＴＮ−ＧＷ１では、自動呼び返し指示状態を解除し、既存公衆電話３を開放すると共にＩＰ電話端末２に「切断」信号をインタワークする。
【００４０】
「切断」信号を受けたＩＰ電話端末２では、呼を開放して終了する（ステップ１０：Ｓ１０）。
【００４１】
次に、図３を参照して、ＩＰ電話から緊急通報（警察１１０、消防１１９など）を行った場合の既存公衆電話網が備える回線留保・再呼び出し機能の代替手段として、本発明の自動呼び返し機能を利用し、発信者側からの切断に対して、再呼び出しを行うシステムを詳細に説明する。
【００４２】
図３には、本発明のＩＰ電話における呼び返しシステムおよび方法、プログラムおよび記録媒体の実施の形態に係る、ＩＰ電話システムによる呼び返しの制御シーケンスを説明するためのシーケンスチャートを示す。この図３に示すように電話端末２とＩＰ電話システムの呼処理信号であるＳＩＰ信号を終端するＩＰ電話アダプタ（ＶｏＩＰ−ＴＡ）６が電話ケーブルで接続され、さらにＩＰ電話アダプタ（ＶｏＩＰ−ＴＡ）６はＩＰ網に接続されており、論理的に、ＩＰ電話信号変換サーバ（ＰＳＴＮ−ＧＷ：接続装置と同義）１とＳＩＰ信号で接続され、且つＳＩＰ信号の手順に従い音声情報は、ＲＴＰ信号としてＩＰ電話メディア変換機（ＰＳＴＮ−ＭＧＷ）との接続が可能になっている。
【００４３】
ＩＰ電話信号変換サーバ１では、内部で、ＳＩＰ信号とＩＳＵＰ信号のインターワーキングを行い、ＳＳ７ネットワークを介して、既存の加入電話網内の関門交換機（ＩＧＳ）に接続している。また、ＩＰ電話信号変換サーバ１はまた、ＩＰ網を介してＩＰ電話メディア変換機（ＰＳＴＮ−ＭＧＷ）を制御している。
【００４４】
関門交換機（ＩＧＳ）は、既存の加入電話網を通じて加入者交換機と接続させている。
【００４５】
なお、既存の加入電話網内では、関門交換機（ＩＧＳ）と加入者交換機（ＬＳ）との間にいくつかの中継交換機が存在することが明白であるが、ここでの説明では手順としての信号シーケンスにいて中継交換機は中継のみ行うこととして、記載を略している。
【００４６】
また、ＩＰ電話メディア変換機（ＰＳＴＮ−ＭＧＷ）は、音声を伝える回線が関門交換機（ＩＧＳ）と接続されている。加入者交換機（ＬＳ）は緊急通報を受け付ける受付台と接続されている。
【００４７】
電話端末２が受話器を上げ（オフフック）て、緊急通報の番号（１１０、１１９など）をダイヤルする。ＩＰ電話アダプタ（ＶｏＩＰ−ＴＡ）６では、電話端末２からの上記指示に従い、ＩＰ電話信号変換サーバ１に対して、発信（ＩＮＶＩＴＥ）を行う（ステップ２０：Ｓ２０）。
【００４８】
ＩＰ電話信号変換サーバ１では、受け取ったＩＮＶＩＴＥ信号の着信先番号（警察１１０番、消防１１９番など）から緊急通報であることを判断し、該当の発信について、緊急通報である識別フラグを立てる。
【００４９】
ＩＰ電話信号変換サーバ１では、既存の加入電話網の関門交換機（ＩＧＳ）に対して発信信号を送信する。
【００５０】
前記発信信号は、既存講習電話網を通して関門交換機（ＩＧＳ）が受けた発信信号を緊急通報の受付台の接続される加入者交換機（ＬＳ）まで伝達し、加入者交換機（ＬＳ）は受付台に対して、発信信号を送信し、受付台を呼び出す（ステップ２１：Ｓ２１）。
【００５１】
受付台では呼び出しに応答し、応答信号を加入者交換機（ＬＳ）に伝達し、加入者交換機（ＬＳ）は既存公衆電話３網を中継して関門交換機（ＩＧＳ）へ、応答信号を伝達する。関門交換機（ＩＧＳ）は、ＩＰ電話信号変換サーバ１に、応答信号を中継する（ステップ２２：Ｓ２２）。
【００５２】
応答信号を受けたＩＰ電話信号変換サーバ１では、ＩＰ電話アダプタ（ＶｏＩＰ−ＴＡ）６に応答（２００ＯＫ）信号を送信する（ステップ２３：Ｓ２３）。
【００５３】
上記で電話端末２は、通話リソースである通話セッションが成立し、受付台との間で緊急通報がなされる。
【００５４】
次に電話端末２から切断（受話器を置く：オンフック）が行われると、ＩＰ電話アダプタ（ＶｏＩＰ−ＴＡ）６は、切断（ＢＹＥ）信号をＩＰ電話信号変換サーバ１に送信する（ステップＳ２４：Ｓ２４）。
【００５５】
このときにＩＰ電話アダプタ（ＶｏＩＰ−ＴＡ）６では、通話リソースである通話セッションは開放されることになる。
【００５６】
ＩＰ電話信号中継サーバ１では、受信した切断（ＢＹＥ）信号から、緊急通報である識別フラグが立っている呼に対して、発信側の端末からの切断であることが識別して、そのまま切断信号をインタワークすることなく、関門交換機（ＩＧＳ）側に接続さているステップ２による接続を切断することな留保し、再呼出通知音の送出支持をＩＰ電話メディア変換機（ＰＳＴＮ−ＭＧＷ）に対して行い、受付に再呼出通知音を提供する（ステップ２５：Ｓ２５）。
【００５７】
引き続きＩＰ電話信号変換サーバ１は、ＩＰ電話アダプタ（ＶｏＩＰ−ＴＡ）６を呼び出すために、発信（ＩＮＶＩＴＥ）信号を送る（ステップ２６：Ｓ２６）。このときの発信（ＩＮＶＩＴＥ）信号は、発信元電話番号として、ステップ２０：Ｓ２０で受けた発信時の電話番号を基に、予め設定された番号から選択し決定する。
【００５８】
発信（ＩＮＶＩＴＥ）信号を受けたＩＰ電話アダプタ（ＶｏＩＰ−ＴＡ）６は、電話端末２を呼び出し状態（Ｒｉｎｇｉｎｇ）にして、ユーザに通知する。
【００５９】
電話端末２が、呼び返しに応答する（受話器を上げる；オフフックする）と、ＩＰ電話アダプタ（ＶｏＩＰ−ＴＡ）６から、ＩＰ電話信号変換サーバ１に応答（２００ＯＫ）信号を送信する（ステップ２７：Ｓ２７）。
【００６０】
応答（２００ＯＫ）信号を受信したＩＰ電話信号変換サーバ１では、ＩＰ電話メディア変換機（ＰＳＴＮ−ＭＧＷ）に対して、通話路再接続指示を送信し電話端末２と受付台の通話を再確立する。
【００６１】
その後、受付台からの切断が行われた場合、既存の加入電話網から切断信号がＩＰ電話信号変換サーバ１に送られてくる（ステップ２８：Ｓ２８）ので、ＩＰ電話信号変換サーバ１は、ＩＰ電話アダプタ（ＶｏＩＰ−ＴＡ）６に切断（ＢＹＥ）信号を送信し（ステップ２９：Ｓ２９）、ＩＰ電話メディア変換機（ＰＳＴＮ−ＭＧＷ）に対して、回線開放指示を送る。
【００６２】
上記ステップ１０の切断（ＢＹＥ）信号を受けたＩＰ電話アダプタ（ＶｏＩＰ−ＴＡ）６では、電話端末２に対して終話状態を伝達（ＢＴ音の送出など）し、ＢＹＥに対する応答（２００ＯＫ）信号を返答し初期状態に戻る。
【００６３】
以上のように本発明を利用して、ＩＰ電話システムと既存の公衆電話網が接続されたシステムでの、ＩＰ電話システム側の端末から、緊急通報を行った場合で、電話端末２側から切断した場合、即座に自動で呼び返されるシステムが構築でき、既存の加入電話網での緊急通報で行われている回線留保、再呼び出しの代用として適用が期待される。
【００６４】
以上説明した本発明の実施の形態によれば、既存公衆電話網（ＰＳＴＮ）に接続されたＩＰ電話システムにおいて、発信時にその着信番号が事前に設定された特定の着信先（既存公衆電話３の電話番号）であった場合には、電話端末２（発信側）が通話中の呼の切断を行っても、ＩＰ電話の呼制御信号と既存公衆電話網との接続装置において、電話端末２（発信側）が送信した切断信号を既存公衆電話網側（着信側）に伝送することなく、既存既存公衆電話３の接続回線を保持したまま、前記切断信号を契機として電話端末２（発信側）へ発信信号を即座に送り返すことで、電話端末２（発信側）が切断動作を行うと、直ぐに呼び返される自動呼び返し機能を提供することができる。
【００６５】
なお、この際、既存公衆電話網との接続装置においては、既設の通話をそのまま保持しておき、呼び返しが行われていることを、音声アナウンスなどで通知する。その後、呼び返された電話端末２（発信側）が応答した際に、音声アナウンスなどを停止し、既設の通話との接続を行っている。
【００６６】
すなわち、本発明の実施の形態においては、着信先番号から（ＰＳＴＮ−ＧＷ１などの接続装置に蓄えられた情報と比較することで）、呼び返し対象の電話（Ｃａｌｌ）か判断する機能を実現でき、
また、既存網との接続装置で、発信側（ＩＰ電話側）からの切断を検知し、既存公衆電話３へは、特殊音を送出し、発信側（ＩＰ電話側）へ呼び返しを行い、応答があるまで、もしくは、既存網側から切断されるまで音源を流し続ける機能を実現でき、
また、呼び返しを行う際に、発信側（ＩＰ電話側）への呼び返し呼の発信者番号は、先述の着信先番号から、接続装置などにあらかじめ設定されたルールに従い設定する機能（１１０への着信の場合、１１０からの発信として見せることが可能な機能）を実現することができる。
【図面の簡単な説明】
【００６７】
【図１】本発明のＩＰ電話における呼び返しシステムおよび方法、プログラムおよび記録媒体の実施の形態に係る、ＩＰ電話システムを説明するための構成図を示す。
【図２】本発明のＩＰ電話における呼び返しシステムおよび方法、プログラムおよび記録媒体の実施の形態に係る、ＩＰ電話システムによる呼び返しの制御シーケンスを説明するためのシーケンスチャートを示す。
【図３】本発明のＩＰ電話における呼び返しシステムおよび方法、プログラムおよび記録媒体の実施の形態に係る、ＩＰ電話システムによる呼び返しの制御シーケンスを説明するためのシーケンスチャートを示す。
【図４】従来技術による既存の加入電話網を説明するための構成図を示す。
【図５】従来技術による加入電話網での緊急通報を説明するための説明図を示す。
【符号の説明】
【００６８】
１  ＰＳＴＮ−ＧＷ（接続装置）
２  ＩＰ電話端末（発信側）
３  既存公衆電話（着信側）
４  ＩＰ網
５  既存公衆電話網（ＰＳＴＮ）
６  ＩＰ電話アダプタ（ＶｏＩＰ−ＴＡ）
７  ＩＰ電話メディア交換機（ＰＳＴＮ−ＭＧＷ）
８  関門交換機（ＩＧＳ）
９  加入者交換機（ＬＳ）
１０  受付台
【図１】
2005354641.tif 000003
【図２】
2005354641.tif 000004
【図３】
2005354641.tif 000005
【図４】
2005354641.tif 000006
【図５】
2005354641.tif 000007